(57)【特許請求の範囲】
【請求項１】
上枠、下枠及び縦枠が組まれて壁枠組が形成されている壁パネルと根太が組まれて床枠組が形成されている床パネルとを組合せて、上階の床パネルを下階の壁パネルで支える枠組壁工法の建物において、床パネルの側辺部のうち壁パネルで支持されていない一側辺部が梁にて支持されている床パネルの支持構造であって、床枠組は端根太と側根太を方形枠状に組みその内部に側根太と平行に複数の床根太を組み込んだものであり、梁は隣接する複数の床パネルを挟んだ下階の壁パネル間に架け渡されて複数の上階の床パネルを支持するものであり、梁は上階の床パネルと下階の壁パネルとの境界面を挟んで上下に突出した状態に配置され、前記床パネルを構成する根太のうち梁にて支持されている側辺部の根太が他の根太の厚さより薄くされた端根太であり、前記床パネルを構成する根太のうち下階の壁パネルで支持されている側辺部の根太は前記他の根太として前記端根太より厚くされており、梁にて支持されている床パネルの側辺部の下方に端根太の下面と床根太の端面にて形成される切欠部が形成され、この切欠部に前記梁の上部が嵌合されて支持されていることを特徴とする床パネルの支持構造。
【請求項２】
梁にて支持されている床パネルの側辺部の端根太は、他の根太に取付金具にて接合されていることを特徴とする請求項１記載の床パネルの支持構造。
【請求項３】
上枠、下枠及び縦枠が組まれて壁枠組が形成されている壁パネルと根太が組まれて床枠組が形成されている床パネルとを組合せて、上階の床パネルを下階の壁パネルで支える枠組壁工法の建物において、方形の床パネルの対向する二つの側辺部の一方に壁パネルを立設し、他方の側辺部に壁パネルを立設していない壁式建物ユニットを上記他方の側辺部を互いに内側にして並設し、両建物ユニットの上記壁パネル間に梁を掛け渡して支持し、この梁にて上階建物ユニットの床パネルの側辺部のうち壁パネルで支持されていない一側辺部が支持されているユニット建物であって、床枠組は端根太と側根太を方形枠状に組みその内部に側根太と平行に複数の床根太を組み込んだものであり、梁は隣接する複数の床パネルを挟んだ下階の壁パネル間に架け渡されて複数の上階の床パネルを支持するものであり、梁は上階の床パネルと下階の壁パネルとの境界面を挟んで上下に突出した状態に配置され、前記床パネルを構成する根太のうち梁にて支持されている側辺部の根太が他の根太の厚さより薄くされた端根太であり、前記床パネルを構成する根太のうち下階の壁パネルで支持されている側辺部の根太は前記他の根太として前記端根太より厚くされており、梁にて支持されている床パネルの側辺部の下方に端根太の下面と床根太の端面にて形成される切欠部が形成され、この切欠部に前記梁の上部が嵌合されて支持されていることを特徴とするユニット建物。
【請求項４】
梁にて支持されている床パネルの側辺部の端根太は、他の根太に取付金具にて接合されていることを特徴とする請求項３記載のユニット建物。
【発明の詳細な説明】
【０００１】
【発明の属する技術分野】
この発明は床パネルの支持構造及びユニット建物に関する。
【０００２】
【従来の技術】
枠組壁工法を採用したユニット構造の建物は、工場で、上枠、下枠及び縦枠が組まれて壁枠組が形成されている壁パネルや根太が組まれて床枠組が形成されている床パネル等を生産するとともに、これらの壁パネル、床パネル等を箱状に組み立てた建物ユニットを建築現場に運び、基礎の上に据え付けて組み立てられている。
【０００３】
ところで、上階の建物ユニットは、据え付けられた下階の建物ユニットの上に載置して固定され、その荷重を下階の建物ユニットの壁で支える構造とされているのが一般的である。
【０００４】
したがって、このようなユニット建物では、上下階が同サイズのユニット配置のみが可能とされ、狭小敷地では斜線制限によって下階のプランが制限され、特に下階よりも上階が後退したいわゆるセットバック構造を構成することが困難であるとともに、下階に壁のない大きな空間をとることが困難であった。
【０００５】
そこで、出願人は、方形の床の対向する二つの側辺部の一方に壁を立設し、他方の側辺部に壁を立設していない壁式建物ユニットを上記他方の側辺部を互いに内側にして並設し、両建物ユニットの上記壁間に梁を掛け渡して支持し、この梁にて上階建物ユニットの床パネルの側辺部を支持したユニット建物を提案した（特開平８−３１１９９９号公報）。
【０００６】
このユニット建物は、図５に示すとおり、上階建物ユニットの床パネル２ａの側辺部が、並設した建物ユニットの壁間に掛け渡した梁７ａにて支持するようにしたので、下階に壁のない大きな空間をとることが可能となるとともにセットバック構造を容易に達成することが可能となり、従来より下階のプランを多様化することができる。なお、図５において、３ａは床パネル２ａの側辺部に立設された壁パネル、２２ａは端根太、２５ａは床根太、２６ａ及び２７ａは面材、７１ａはつなぎ梁である。
【０００７】
【発明が解決しようとする課題】
ところで、下階に壁のない空間を大きくとろうとするほど、建物ユニットの壁間隔は当然大きくなり、梁も長くなる。
梁は上階の建物ユニットを支持するものであるので、梁が長くなれば、その梁背を大きくして上階の建物ユニットの荷重に耐えるようにしなければならない。
このとき、梁のスパン長の３乗に比例して梁背を大きくする必要がある。
この梁背が大きくなると、下階の部屋の天井から梁の突出が目立つようになるので、部屋が見苦しくなることがあった。
【０００８】
この発明は、前記の点に鑑み、梁の突出が目立つことがない床パネルの支持構造やユニット建物を提供することを目的とする。
【０００９】
【課題を解決するための手段】
請求項１記載の発明の床パネルの支持構造は、上枠、下枠及び縦枠が組まれて壁枠組が形成されている壁パネルと根太が組まれて床枠組が形成されている床パネルとを組合せて、上階の床パネルを下階の壁パネルで支える枠組壁工法の建物において、床パネルの側辺部のうち壁パネルで支持されていない一側辺部が梁にて支持されている床パネルの支持構造であって、床枠組は端根太と側根太を方形枠状に組みその内部に側根太と平行に複数の床根太を組み込んだものであり、梁は隣接する複数の床パネルを挟んだ下階の壁パネル間に架け渡されて複数の上階の床パネルを支持するものであり、梁は上階の床パネルと下階の壁パネルとの境界面を挟んで上下に突出した状態に配置され、前記床パネルを構成する根太のうち梁にて支持されている側辺部の根太が他の根太の厚さより薄くされた端根太であり、前記床パネルを構成する根太のうち下階の壁パネルで支持されている側辺部の根太は前記他の根太として前記端根太より厚くされており、梁にて支持されている床パネルの側辺部の下方に端根太の下面と床根太の端面にて形成される切欠部が形成され、この切欠部に前記梁の上部が嵌合されて支持されていることを特徴としている。
【００１０】
請求項２記載の発明の床パネルの支持構造は、請求項１記載の床パネルの支持構造において、梁にて支持されている床パネルの側辺部の端根太は、他の根太に取付金具にて接合されていることを特徴としている。
【００１１】
請求項３記載の発明のユニット建物は、上枠、下枠及び縦枠が組まれて壁枠組が形成されている壁パネルと根太が組まれて床枠組が形成されている床パネルとを組合せて、上階の床パネルを下階の壁パネルで支える枠組壁工法の建物において、方形の床パネルの対向する二つの側辺部の一方に壁パネルを立設し、他方の側辺部に壁パネルを立設していない壁式建物ユニットを上記他方の側辺部を互いに内側にして並設し、両建物ユニットの上記壁パネル間に梁を掛け渡して支持し、この梁にて上階建物ユニットの床パネルの側辺部のうち壁パネルで支持されていない一側辺部が支持されているユニット建物であって、床枠組は端根太と側根太を方形枠状に組みその内部に側根太と平行に複数の床根太を組み込んだものであり、梁は隣接する複数の床パネルを挟んだ下階の壁パネル間に架け渡されて複数の上階の床パネルを支持するものであり、梁は上階の床パネルと下階の壁パネルとの境界面を挟んで上下に突出した状態に配置され、前記床パネルを構成する根太のうち梁にて支持されている側辺部の根太が他の根太の厚さより薄くされた端根太であり、前記床パネルを構成する根太のうち下階の壁パネルで支持されている側辺部の根太は前記他の根太として前記端根太より厚くされており、梁にて支持されている床パネルの側辺部の下方に端根太の下面と床根太の端面にて形成される切欠部が形成され、この切欠部に前記梁の上部が嵌合されて支持されていることを特徴としている。
【００１２】
請求項４記載の発明のユニット建物は、請求項３記載のユニット建物において、梁にて支持されている床パネルの側辺部の端根太は、他の根太に取付金具にて接合されていることを特徴としている。
【００１３】
（作用）
請求項１記載の床パネルの支持構造においては、床パネルの梁にて支持されている側辺部は、その側辺部の根太が他の根太の厚さより薄くされて下方に切欠部が形成され、この切欠部に前記梁の上部が嵌合されて支持されているから、梁を長くして梁背を大きくした場合でも、梁の上部が上記切欠部に嵌合されて床パネルに埋め込まれ、その分だけ梁の突出部分が少なくなり目立つことがない。
【００１４】
請求項２記載の床パネルの支持構造においては、上記請求項１記載の床パネルの支持構造と同様の作用を奏するとともに、梁に支持されている床パネルの側辺部の端根太は他の根太に取付金具にて接合されているから、根太が薄くても床枠組の強度が損なわれることがない。
【００１５】
請求項３記載のユニット建物においては、並設した建物ユニットの壁間に梁を掛け渡して支持し、この梁にて上階建物ユニットの床パネルの側辺部が支持されているユニット建物であって、前記床パネルは、根太が組まれて形成された床枠組を有し、この床パネルの梁にて支持されている側辺部の根太の厚さは他の根太の厚さより薄くされて側辺部の下方に切欠部が形成され、この切欠部に前記梁の上部が嵌合されて支持されているから、下階の空間を広くとるために、並設した建物ユニットの壁間隔を大きくして梁を長くした場合に、梁背を大きくしなければならないが、梁の上部が上記切欠部に嵌合されて床パネルに埋め込まれ、その分だけ天井の梁の突出部分が少なくなり目立つことがない。
【００１６】
請求項４記載のユニット建物においては、上記請求項３記載のユニット建物と同様の作用を奏するとともに、梁に支持されている床パネルの側辺部の端根太は他の根太に取付金具にて接合されているから、根太が薄くても床枠組の強度が損なわれることがなく上階建物ユニットの取付けが安定したものとなる。
【００１７】
【発明の実施の形態】
次に、この発明の実施の形態を図面の実施例を参照しながら説明する。
【００１８】
図１はこの発明の一実施例であるユニット建物とこのユニット建物を構成する建物ユニットを示すものであって、（イ）はユニット建物の概略的構成を示す斜視図、（ロ）は上階建物ユニットの斜視図、図２は図１（イ）のＡ−Ａ断面図、図３は上階建物ユニットの床を構成する床パネルの床枠組の斜視図、図４は図３のＢ部の斜視図である。
図１〜図３において、１は上階建物ユニット、２は上階建物ユニットの床を構成する床パネル、２１は床枠組、４は下階建物ユニット、７は梁である。
【００１９】
上階建物ユニット１は、図１（ロ）に示すとおり、方形床パネル２の隣り合う三つの側辺部、更に詳しくは一つの長辺部と二つの短辺部に壁パネル３を立設して予め工場で組み立てられている。なお、床パネル２は床枠組２１に面材を貼設して形成され、壁パネル３は壁枠組に面材を貼設して形成されている。
【００２０】
また、下階建物ユニット４も上階建物ユニット１と同様に方形床パネル５の隣り合う三つの側辺部、更に詳しくは一つの長辺部と二つの短辺部に壁パネル６を立設して組み立てられたものであり、上階建物ユニット１よりも長辺方向の寸法がＳａだけ長くされている。
【００２１】
建築現場において、下階建物ユニット４を壁パネル６を立設していない側辺部を内側にして並設し、これらの下階建物ユニット４の対向する外側の壁パネル６の上端間に梁７を掛け渡し、この梁７及び壁パネル６にて上階建物ユニット１を支持するよう組み立てられている。この梁７としては、好ましては集成材からなる構造梁が用いられるが、通常の木材やその他の素材も適用可能である。
【００２２】
上階建物ユニット１は下階建物ユニット４と同様に壁パネル２を立設していない側辺部を内側にして下階建物ユニット４上に一端を合わせて設置され、上階建物ユニット１の他端が上記梁７上に位置されて支持されている。
なお、図示していないが、下階建物ユニット４上における梁７よりも前端側の部分はバルコニーユニットや下屋屋根ユニットが設置され、上階建物ユニット１上には屋根ユニットが設置されることになる。
【００２３】
上階建物ユニット１の床パネル２は、前記したとおり、床枠組２１に面材２６、２７を貼設して形成されているが、床枠組２１は、図３に示すとおり、端根太２２、２３と側根太２４、２４を方形枠状に組み、その内部に側根太２４と平行に複数の床根太２５を組み込むことにより形成されている。
【００２４】
ところで、この床枠組２１において、一方の端根太２２の厚さａは、他方の端根太２３や側根太２４、床根太２５の厚さｂよりも小さいものされて下方に切欠部ｃが形成されている。
なお、端根太２２は、図４に示すとおり、床根太支持部８１と端根太取付部８２とからなる連結金具８により床根太２５に接合されている。連結金具８を用いることによって、端根太２２と床根太２５との接合を強固なものとし、厚さの薄い端根太２２であっても床枠組２１の強度が損なわれないものとなっている。
【００２５】
前記したとおり、図１に示すユニット建物においては、上階建物ユニット１は、下階建物ユニット４の壁パネル６と、下階建物ユニット４の対向する外側の壁パネル６の上端間に掛け渡した梁７にて支持されているが、梁７による支持構造の詳細について、以下に説明する。
【００２６】
前記したとおり、上階建物ユニット１の床を構成する床パネル２の床枠組２１においては、一方の端根太２２の厚さａが、他方の端根太２３や側根太２４、床根太２５の厚さｂよりも小さいものされて下方に切欠部ｃが形成されているが、図２に示すとおり、床枠組２１の端根太２２を梁７上に載置して固着する。この固着手段は図示していないが釘、ボルト・ナット等による従来方法によってなされる。
【００２７】
床枠組２１の端根太２２を梁７上に載置して固着することにより、梁７の上部は切欠部ｃに嵌合されて接合されている。つまり、梁７の上部（ｂ−ａ）が床枠組２１に食い込んだ状態で接合され、支持されている。
【００２８】
この発明の実施例では、梁７が下階の部屋に突出するのは、その梁背をｄとすれば、図２に示すとおり、〔ｄ−（ｂ−ａ）〕となるが、図５に示す従来例では、図２と同じスパンの梁７ａにて上階建物ユニットの床パネル２ａを支持した場合に、梁７ａとつなぎ梁７１ａの全部ｄが突出する。したがって、この発明の実施例では梁７の突出部分が少なくて目立たず見苦しいことがないものとなっている。
【００２９】
また、この発明では、従来の図５に示すものと同じ程度まで梁７が突出させれば、さらに梁７のスパンを大きくとることができ、下階の部屋の空間をさらに大きくすることができる。
【００３０】
上記の実施形態では、梁７にて上階建物ユニット１の床パネル２を支持する例を説明したが、建物ユニットを構成しない床パネルの支持構造にもこの発明を適用できる。
【００３１】
【発明の効果】
この発明の請求項１記載の床パネルの支持構造においては、床パネルの梁にて支持されている側辺部は、その側辺部の根太が他の根太の厚さより薄くされて下方に切欠部が形成され、この切欠部に前記梁の上部が嵌合されて支持されているから、梁を長くして梁背を大きくした場合でも、梁の上部が上記切欠部に嵌合されて床パネルに埋め込まれ、その分だけ梁の突出部分が少なくなり目立つことがない。
【００３２】
この発明の請求項２記載の床パネルの支持構造においては、上記請求項１記載の発明と同様の作用効果を奏するとともに、梁に支持されている床パネルの側辺部の端根太は他の根太に取付金具にて接合されているから、根太が薄くても床枠組の強度が損なわれることがない。
【００３３】
この発明の請求項３記載のユニット建物においては、並設した建物ユニットの壁間に梁を掛け渡して支持し、この梁にて上階建物ユニットの床パネルの側辺部が支持されているユニット建物であって、前記床パネルは、根太が組まれて形成された床枠組を有し、この床パネルの梁にて支持されている側辺部の根太の厚さは他の根太の厚さより薄くされて側辺部の下方に切欠部が形成され、この切欠部に前記梁の上部が嵌合されて支持されているから、下階の空間を広くとるために、並設した建物ユニットの壁間隔を大きくして梁を長くした場合に、梁背を大きくしなければならないが、梁の上部が上記切欠部に嵌合されて床パネルに埋め込まれ、その分だけ天井の梁の突出部分が少なくなり目立つことがない。
【００３４】
この発明の請求項４記載のユニット建物においては、上記請求項３記載の発明と同様の作用効果を奏するとともに、梁に支持されている床パネルの側辺部の端根太は他の根太に取付金具にて接合されているから、根太が薄くても床枠組の強度が損なわれることがなく上階建物ユニットの取付けが安定したものとなる。
【図面の簡単な説明】
【図１】  この発明の一実施例であるユニット建物とこのユニット建物を構成する建物ユニットを示すものであって、（イ）はユニット建物の概略的構成を示す斜視図、（ロ）は上階建物ユニットの斜視図である。
【図２】  図１（イ）のＡ−Ａ断面図である。
【図３】  上階建物ユニットの床を構成する床パネルの床枠組の斜視図である。
【図４】  図３のＢ部の斜視図である。
【図５】  従来の床パネルの支持構造の説明図である。
【符号の説明】
１    上階建物ユニット
２    上階建物ユニットの床パネル
２１  床枠組
２２、２３  端根太
２４  側根太
２５  床根太
３    壁パネル
４    下階建物ユニット
７    梁
８    取付金具
【図１】
0004278232.tif 000002
【図２】
0004278232.tif 000003
【図３】
0004278232.tif 000004
【図４】
0004278232.tif 000005
【図５】
0004278232.tif 000006